(57)【要約】【課題】内部に作業を行うことができる空間を設けるとともに、通信ケーブルの収容効率を向上させた配線ラックを提供する。【解決手段】配線ラック１は、内部空間が形成されたメインラック２と、内部空間が形成されメインラック２の対向する側面の少なくとも一方に連結されたサブラック３と、を有する。メインラック２の内部空間は、サブラック３が連結される、対向する側面が並ぶ方向に延びるメインラック作業空間２６ａと、このメインラック作業空間２６ａを挟むように配置された２つのメインラック配線空間２６ｂ、２６ｂと、に分割されている。また、サブラック３の内部空間は、メインラック作業空間２６ａが延びる方向に配置されて当該メインラック作業空間２６ａと連通するサブラック作業空間３６ａと、サブラック作業空間３６ａを挟むように配置され、各々がメインラック配線空間２６ｂと連通する、２つのサブラック配線空間３６ｂと、に分割されている。【選択図】図６
2015032589.tif 000002
【特許請求の範囲】
【請求項１】
内部空間が形成されたメインラックと、
内部空間が形成され前記メインラックの対向する側面の少なくとも一方に連結されたサブラックと、を有し、
前記メインラックの前記内部空間は、前記サブラックが連結される、前記対向する側面が並ぶ方向に延びるメインラック作業空間と、前記メインラック作業空間を挟むように配置された２つのメインラック配線空間と、に分割され、
前記サブラックの前記内部空間は、前記メインラック作業空間が延びる方向に配置されて当該メインラック作業空間と連通するサブラック作業空間と、前記サブラック作業空間を挟むように配置され、各々が前記メインラック配線空間と連通する、２つのサブラック配線空間と、に分割されることを特徴とする配線ラック。
【請求項２】
前記メインラックは、それぞれにパッチパネルを取り付け可能な２組のパッチパネル取り付け部材を有し、
前記メインラックの内部空間は、前記パネル取り付け部材により、前記メインラック作業空間と前記メインラック配線空間とに分割され、
前記サブラックは、２つの配線処理部材を有し、
前記サブラックの内部空間は、前記配線処理部材により、前記サブラック作業空間と前記サブラック配線空間とに分割されることを特徴とする請求項１に記載の配線ラック。
【請求項３】
前記メインラックに対する前記パッチパネル取り付け部材の取り付け位置、及び、前記サブラックに対する前記配線処理部材の取り付け位置は、移動可能に構成され、
前記パッチパネル取り付け部材の取り付け位置を移動させることで、前記メインラック作業空間及び前記メインラック配線空間の大きさを変化させ、
前記配線処理部材の取り付け位置を移動させることで、前記サブラック作業空間及び前記サブラック配線空間の大きさを変化させることを特徴とする請求項２に記載の配線ラック。
【請求項４】
前記メインラックの前記パネル取り付け部材に取り付けられたパッチパネルに対して接続される通信ケーブルは、前記サブラック配線空間及び前記メインラック配線空間に収容されることを特徴とする請求項２または３に記載の配線ラック。
【請求項５】
２以上の前記メインラックを有し、当該メインラック同士は前記サブラックを介して連結されることを特徴とする請求項１〜４のいずれか一項に記載の配線ラック。
【発明の詳細な説明】
【技術分野】
【０００１】
本発明は、通信ケーブルを収容する配線ラックに関し、特に詳細には、内部に作業を行うことができる空間を設けるとともに、通信ケーブルの収容効率を向上させた配線ラックに関する。
【背景技術】
【０００２】
データセンター等のサーバルームには、多数のサーバ装置や通信装置等が設置されており、これらの装置の間は通信ケーブル等で接続されている。また、これらの通信ケーブルに対しては、その通信経路等を、パッチパネルを用いて管理している。ここで、パッチパネルとは、通信ケーブルの一端が一次側に接続され、複数の通信ケーブル間の信号経路を管理するものであり、二次側に対するパッチコードの抜き差しという簡単な操作で通信経路を選択することができる。このように、通信ケーブルが接続されたパッチパネルへのパッチコードの接続により通信経路が設定されることから、部外者がパッチパネルでの通信ケーブルやパッチコードの抜き差しを容易に行えないようにするために、このパッチパネルは通常、配線ラック内に収容されている（例えば、特許文献１参照）。
【先行技術文献】
【特許文献】
【０００３】
【特許文献１】特開２０１１−０６０９８８号公報
【発明の概要】
【発明が解決しようとする課題】
【０００４】
しかしながら、配線ラック内に作業をするための空間を設けると、配線ラックが大きくなってしまうとともに、この空間は、作業時以外はデッドスペースとなるため、配線ラック内の空間の利用効率が悪くなってしまうという課題があった。
【０００５】
本発明はこのような課題に鑑みてなされたものであり、内部に作業を行うことができる空間を設けるとともに、通信ケーブルの収容効率を向上させた配線ラックを提供することを目的とする。
【課題を解決するための手段】
【０００６】
前記課題を解決するために、本発明に係る配線ラックは、内部空間が形成されたメインラックと、内部空間が形成されメインラックの対向する側面の少なくとも一方に連結されたサブラックと、を有し、メインラックの内部空間は、サブラックが連結される、対向する側面が並ぶ方向に延びるメインラック作業空間と、このメインラック作業空間を挟むように配置された２つのメインラック配線空間と、に分割され、サブラックの内部空間は、メインラック作業空間が延びる方向に配置されて当該メインラック作業空間と連通するサブラック作業空間と、サブラック作業空間を挟むように配置され、各々がメインラック配線空間と連通する、２つのサブラック配線空間と、に分割されることを特徴とする。
【０００７】
このような構成とすることにより、２つの配線空間（メインラック配線空間及びサブラック配線空間）に通信ケーブルを格納することにより、これらの空間の間に形成された作業空間（メインラック作業空間及びサブラック作業空間）で作業を行うことができる。そのため、配線ラック内の空間が、２つの配線空間と、これらの配線空間に対して共通して利用することができる１つの作業空間という構成となるため、この配線ラック内の空間の利用効率を向上させることができる。
【０００８】
また、このような本発明に係る配線ラックにおいて、メインラックは、それぞれにパッチパネルを取り付け可能な２組のパッチパネル取り付け部材を有し、メインラックの内部空間は、パネル取り付け部材により、メインラック作業空間とメインラック配線空間とに分割され、サブラックは、２つの配線処理部材を有し、サブラックの内部空間は、配線処理部材により、サブラック作業空間とサブラック配線空間とに分割されることが好ましい。
【０００９】
また、このような本発明に係る配線ラックにおいて、メインラックに対するパッチパネル取り付け部材の取り付け位置、及び、サブラックに対する配線処理部材の取り付け位置は、移動可能に構成され、パッチパネル取り付け部材の取り付け位置を移動させることで、メインラック作業空間及びメインラック配線空間の大きさを変化させ、配線処理部材の取り付け位置を移動させることで、サブラック作業空間及びサブラック配線空間の大きさを変化させることが好ましい。
【００１０】
また、このような本発明に係る配線ラックにおいて、メインラックのパネル取り付け部材に取り付けられたパッチパネルに対して接続される通信ケーブルは、サブラック配線空間及びメインラック配線空間に収容されることが好ましい。
【００１１】
また、このような本発明に係る配線ラックは、２以上のメインラックを有し、メインラック同士は、サブラックを介して連結されることが好ましい。
【発明の効果】
【００１２】
本発明によれば、内部に作業を行うことができる空間を設けるとともに、通信ケーブルの収容効率を向上させた配線ラックを提供することができる。
【図面の簡単な説明】
【００１３】
【図１】本発明に係る配線ラックの正面図である。
【図２】本発明に係る配線ラックの側面図である。
【図３】本発明に係る配線ラックの斜視図である。
【図４】本発明に係る配線ラックにおいてサブラックの仕切り板部材を取り外したときの斜視図である。
【図５】本発明に係る配線ラックにおいて天板部材を取り外したときの上面図である。
【図６】本発明に係る配線ラックを上方から見たときの底面図であって、パネル取り付け部材及び配線処理部材を配置した状態である。
【図７】複数のメインラック及びサブラックを連結したときの配線ラックの正面図である。
【図８】複数のメインラック及びサブラックを連結したときの配線ラックの斜視図である。
【発明を実施するための形態】
【００１４】
以下、本発明の好ましい実施形態について図面を参照して説明する。まず、図１〜図６を用いて、本発明に係る配線ラック１の基本構成について説明する。なお、以降の説明においては、この配線ラック１の図１に示す面を正面とし、この正面方向を前方、反対方向を後方として説明する。また、左右及び上下方向も図１を基準にして説明する。
【００１５】
この配線ラック１は、メインラック２と、このメインラック２の左右に取り付けられたサブラック３（左サブラック３Ｌ及び右サブラック３Ｒ）から構成されている。なお、以降の説明では、図１等に示すように、１台のメインラック２の左右にサブラック３（３Ｌ，３Ｒ）を連結した場合について説明するが、メインラック２の左右のいずれか一方にだけサブラック３を連結することも可能である。
【００１６】
メインラック２は、略直方体形状を有しており、少なくとも前後、及び、左右の面が開口している。例えば、このメインラック２は、底面を構成する４辺に棒状の桟部材２１ａ〜２１ｄを配置し、また、前後・左右の側面の上下に延びる４辺に棒状の柱部材２１ｅ〜２１ｈを配置し、また上面を構成する４辺に棒状の桟部材２１ｊ，２１ｋ，２１ｍ，２１ｎを配置してこれらを連結して、略直方体形状のフレーム２１を構成している。このようなメインラック２において、フレーム２１を構成する桟部材２１ａ〜２１ｄ，２１ｊ，２１ｋ，２１ｍ，２１ｎ及び柱部材２１ｅ〜２１ｈは、例えば、Ｌ字型の軽量形鋼で形成される。そして、このフレーム２１の上面（桟部材２１ｊ，２１ｋ，２１ｍ，２１ｎの上面）には、矩形形状の天板２２が取り付けられている。なお、このフレーム２１の底面は、上述したような４つの桟部材２１ａ〜２１ｄを用いる代わりに、矩形形状の板状の部材を用いることもできる。
【００１７】
このように、このメインラック２を構成するフレーム２１において、底面に配置された桟部材２１ａ〜２１ｄ及び上面に配置された桟部材２１ｊ，２１ｋ，２１ｍ，２１ｎは、それぞれ対向するように配置されている。これらの桟部材のうち、前後方向に延びる桟部材２１ａと桟部材２１ｋが対向し、桟部材２１ｂと桟部材２１ｊとが対向している。そして、このように対向した桟部材２１ａ，２１ｋに対して、上下方向に延びる２本のパネル取り付け部材２３ａ，２３ｂが取り付けられ、また、桟部材２１ｂ，２１ｊに対してパネル取り付け部材２１ｃ，２３ｄが取り付けられている。なお、これらのパネル取り付け部材２３ａ〜２３ｄは、左右方向に（メインラック２の前面及び後面の側面に対して略平行になるように）配置されている。また、これらのパネル取り付け部材２３ａ〜２３ｄは、桟部材２１ａ，２１ｋ，２１ｂ，２１ｊに対して、その取り付け位置が変更できるように構成されている。すなわち、左右に並ぶパネル取り付け部材２３ａ、２３ｃ及び２３ｂ、２３ｄは、メインラック２内において前後方向に移動させることができる。
【００１８】
また、このメインラック２を構成するフレーム２１の前面及び後面のそれぞれには仕切り部材２４が着脱可能に取り付けられている。
【００１９】
また、サブラック３（３Ｌ，３Ｒ）は、左右の側面の大きさが、メインラック２の左右の側面の大きさと略同一である略直方体形状を有しており、メインラック２と同様に、この略直方体形状の各辺に配置された桟部材３１ａ〜３１ｄ，３１ｊ，３１ｋ，３１ｍ，３１ｎ及び柱部材３１ｅ〜３１ｈからなるフレーム３１を有している。また、このサブラック３のフレーム３１の上面には、天板部材３２が取り付けられている。同様に、前面及び後面には、仕切り部材３４が取り付けられている。この仕切り部材３４は、開閉可能なドア部材としても良い。
【００２０】
また、このサブラック３を構成するフレーム３１において、底面に配置された桟部材３１ａ〜３１ｄ及び上面に配置された桟部材３１ｊ，３１ｋ，３１ｍ，３１ｎは、メインラック２と同様にそれぞれ対向するように配置されている。これらの桟部材のうち、前後方向に延びる桟部材３１ａと桟部材３１ｋが対向し、桟部材３１ｂと桟部材３１ｊとが対向している。そして、このように対向した桟部材３１ａ，３１ｂ，３１ｊ，３１ｋに対して、上下方向に延び、前後の側面に平行に配置された２枚の板状の配線処理部材３７が取り付けられている。この配線処理部材３７も、その取り付け位置が前後方向に移動可能に構成されている。
【００２１】
そして、このサブラック３のフレーム３１とメインラック２のフレーム２１とを連結することにより、メインラック２に対して左右のサブラック３Ｌ，３Ｒが連結されている。これにより、メインラック２の内部空間２６と、左サブラック３Ｌ及び右ラック３Ｒの内部空間３６，３６とが連通して、一つの内部空間を形成することになる。
【００２２】
なお、メインラック２及び左サブラック３Ｌ，右サブラック３Ｒを一組の配線ラック１として使用する場合には、サブラック３（３Ｌ，３Ｒ）のメインラック２と連結されていない側面に、板状の仕切り部材３９が取り付けられる。ここで、図２に示すように、この板状の仕切り部材３９は、サブラック３に取り付けられた状態で開閉可能な扉部材３９ａと、その左右に（扉部材３９ａに対して前後方向に延びる）壁板部材３９ｂ，３９ｂとから構成されている。このとき、扉部材３９ａと隣接して取り付けられた壁板部材３９ｂ，３９ｂを支持するために、フレーム３１に対して上下に延びる２本の支持部材３８が取り付けられる（図４では奥側の側面に取り付けられる２本の支持部材３８のうちの一本のみを図示している）。この支持部材３８はフレーム３１に対して着脱可能であり、仕切り部材３９が取り付けられるときにのみ、その仕切り部材３９が取り付けられる側面に取り付けられて使用される。そのため、メインラック２とサブラック３が連結される方の側面にはこの支持部材３８がないため、後述するように、サブラック３からメインラック２に対して通信ケーブルを取り回すときに、スムーズに配置することができる。
【００２３】
また、メインラック２及びサブラック３（３Ｌ，３Ｒ）の上面に取り付けられる天板部材２２，３２，３２には、例えば多数のスリットからなる開口部を設けることができる（後述する図８では、サブラック３Ｌ，３Ｒの天板部材３２，３２に、それぞれ２カ所の開口部３２ａ，３２ａを設けた場合を示している）。このような開口部３２ａ，３２ａを設けることにより、この配線ラック１の内部空間と外部とを常時連通させておくことができる。
【００２４】
配線ラック１を以上のように構成すると、メインラック２の内部空間２６は、左右方向に並ぶ２組のパネル取り付け部材２３ａ，２３ｃ及び２３ｂ，２３ｄにより、３つの空間に分割される。具体的には、パネル取り付け部材２３ａ，２３ｃ及び２３ｂ，２３ｄで挟まれた空間（以下、「メインラック作業空間２６ａ」と呼ぶ）と、このメインラック作業空間２６ａの前後に形成される２つの空間（以下、「メインラック配線空間２６ｂ，２６ｂ」と呼ぶ）とに分割される。同様に、サブラック３の内部空間３６は、前後方向に配置された２枚の配線処理部材３７，３７により、３つの空間に分割される。具体的には、２枚の配線処理部材３７，３７で挟まれた空間（以下、「サブラック作業空間３６ａ」と呼ぶ）、と、このサブラック作業空間３６ａの前後に形成される２つの空間（以下、「サブラック配線空間３６ｂ，３６ｂ」と呼ぶ）とに分割される。
【００２５】
この配線ラック１は、メインラック２のパネル取り付け部材２３ａ〜２３ｄに対して、パッチパネル４０が左右方向に延びるように取り付けられる。具体的には、図６に示すように、パネル取り付け部材２３ａ，２３ｃに跨がるようにパッチパネル４０を取り付けることができ、また、パネル取り付け部材２３ｂ，２３ｄに跨がるようにパッチパネル４０を取り付けることができる。そして、この配線ラック１に対して外部からの通信ケーブルをパッチパネル４０に接続するときは、まず、この配線ラック１の外部からの通信ケーブルをサブラック３のサブラック配線空間３６ｂに取り込み、このサブラック配線空間３６ｂ内を取り回してメインラック２のメインラック配線空間２６ｂに導き、このメインラック配線空間２６ｂ内で、パッチパネル４０に接続される。そのため、通信ケーブルは、メインラック２及びサブラック３のメインラック配線空間２６ｂ及びサブラック配線空間３６ｂに収容されるため、メインラック作業空間２６ａ及びサブラック作業空間３６ａを、配線ラック１内を移動するときの通路及びこの通路を挟むように取り付けられたパッチパネル４０に対する作業（パッチコードの取り付け、取り外しや差し替えの作業）をするための空間として利用することができる。
【００２６】
このように、本実施形態に係る配線ラック１の内部空間は、通信ケーブルを収容する２つの配線空間（メインラック配線空間２６ｂ，２６ｂ及びサブラック配線空間３６ｂ，３６ｂ）と、これらの配線空間の間に形成され、２つの配線空間に対する作業を共通して行うことができる１つの作業空間（メインラック作業空間２６ａ及びこれに連通する左右のサブラック作業空間３６ａ，３６ａ）とで構成されているため、この配線ラック１内の空間の利用効率を向上させることができる。このとき、配線ラック１の前後・左右及び上部の面は、上述したように、仕切り部材２４，３４、３９及び天板部材２２，３２で囲まれているので内部は閉鎖空間となっているため、配線作業や経路変更作業を行っているときでも、外部から配線状況を視認することができず、また、作業員以外の第３者が通信経路の変更を行うことができない。また、サブラック３に取り付けられた扉部材３９ａを施錠することにより、この配線ラック１の内部に入ることができなくなり、セキュリティを向上させることができる。
【００２７】
また、上述したように、パネル取り付け部材２３ａ〜２３ｄ、及び、配線処理部材３７，３７の取り付け位置はそれぞれ、メインラック２の内部空間２６及びサブラック３の内部空間３６において前後方向に移動可能である。そのため、通信ケーブルの量や使用目的により、作業空間（メインラック及びサブラック作業空間２６ａ，３６ａ）と配線空間（メインラック及びサブラック配線空間２６ｂ，３６ｂ）の大きさを変えることができるので、用途に応じてこの配線ラック１の内部空間のレイアウトをフレキシブルに決定することができる。
【００２８】
また、メインラック２は、２組のパネル取り付け部材２３ａ，２３ｃ及び２３ｂ，２３ｄが設けられているため、それぞれにパッチパネル４０を対向させるように取り付けることができる。そのため、本実施形態に係る配線ラック１は、従来のラックに比べて２倍のパッチパネル４０を収容することができるため、収容できる通信ケーブルの容量が増えるとともに、この配線ラック１の内部空間の利用効率を向上させることができる。
【００２９】
ここで、上述の説明ではパネル取り付け部材２３ａ〜２３ｄ及び配線処理部材３７、３７を、メインラック２のフレーム２１及びサブラック３のフレーム３１に固定するように構成した場合について説明したが、フレーム２１とは別に、前後方向に延びるレール部材を設け、このレール部材に対してパネル取り付け部材２３ａ〜２３ｄ及び配線処理部材３７、３７を固定するように構成してもよい。
【００３０】
また、図４に示すように、メインラック作業空間２６ａ及びサブラック作業空間３６ａ，３６ａの底面に床部材５０を取り付けることで、桟部材（例えば、メインラック２の桟部材２１ａ，２１ｂ、及び、サブラック３の桟部材３１ａ，３１ｂ）に関わらず、平坦な作業空間を確保することができる。この床部材５０は、図６等に示すように、メインラック２及びサブラック３（３Ｌ，３Ｒ）毎に、分割された床部材５０ａ，５０ｂ，５０ｂで構成しても良い。
【００３１】
また、この配線ラック１は、図７及び図８に示すように、複数のメインラック２を、サブラック３を挟んで連結することとも可能である。このように複数のメインラック２を連結可能とすることにより、収容する通信ケーブルの量に応じて配線ラック１の容量を自由に変更することができる。また、メインラック２とサブラック３とをそれぞれ個別のフレーム２１，３１で構成することにより、着脱が容易となるため、増設及び撤去の作業が容易であり、これらの作業を短時間で行うことができる。
【符号の説明】
【００３２】
１  配線ラック
２  メインラック
２３ａ，２３ｂ，２３ｃ，２３ｄ  パネル取り付け部材
２６ａ  メインラック作業空間
２６ｂ  メインラック配線空間
３  サブラック
３６ａ  サブラック作業空間
３６ｂ  サブラック配線空間
３７  配線処理部材
４０  パッチパネル
【図１】
2015032589.tif 000003
【図２】
2015032589.tif 000004
【図３】
2015032589.tif 000005
【図４】
2015032589.tif 000006
【図５】
2015032589.tif 000007
【図６】
2015032589.tif 000008
【図７】
2015032589.tif 000009
【図８】
2015032589.tif 000010